(57)【特許請求の範囲】
【請求項１】
ベランダ、廊下、階段等の通路の端部に沿って支柱を一定間隔に立設し、これら支柱の上端部に手摺り笠木を架け渡すと共に、支柱の下端部どうしを下枠により連結し、隣り合う両支柱と手摺り笠木と下枠とで形成される区画内にパネルを嵌装し又は桟材を格子状に配設してなる手摺りにおいて、手摺り笠木を、その通路側端部が支柱より通路側へ出っ張るように形成し、この手摺り笠木の通路側出っ張り端部下面側に多数のＬＥＤを笠木長手方向に一定間隔に配設してなるＬＥＤ照明装置を設け、このＬＥＤ照明装置によって通路部分を照らすようにし、
ＬＥＤ照明装置は、手摺り笠木の通路側出っ張り端部の下面に笠木長手方向に沿って凹設されたケース取付用凹溝に嵌合固定される長尺状の本体ケースと、本体ケース内にその長手方向に一定間隔に保持されて、夫々複数のＬＥＤを定位置に実装した複数のＬＥＤ基板と、これらＬＥＤ基板を電気的に接続する接続配線と、この接続配線の両端部に設けられたジョイントコネクターとを備えたＬＥＤユニットからなり、
本体ケースは、両側壁部と、両側壁部の下端部側どうしをつなぐ連結壁部と、連結壁部の下面の両側端部にＬＥＤ基板の両側端部が嵌合するように形成された両側一対の嵌合凹部と、両側壁部の夫々上側端部に夫々外向きに突設されていて、ケース取付用凹溝の対向壁面の夫々奥部に設けられた係嵌凹部に係嵌する両側一対の係嵌突起とからなるもので、連結壁部の下面と両側一対の嵌合凹部との間にＬＥＤ基板を嵌合保持して、ＬＥＤ基板の下面に取り付けたＬＥＤを両側一対の嵌合凹部の間から発光できるようにしたことを特徴とする手摺り。
【請求項２】
手摺り笠木は、その横断面形状において、通路側出っ張り端部が比較的細い流線型に形成され、その反対側の端部が比較的太い流線型に形成されていることを特徴とする請求項１に記載の手摺り。
【発明の詳細な説明】
【技術分野】
【０００１】
本発明は、ベランダ、バルコニー、廊下、階段等の通路の端部沿いに支柱を一定間隔に立設し、これら支柱の上端部に手摺り笠木を架け渡すと共に、支柱の下端部どうしを下枠により連結し、隣り合う両支柱と手摺り笠木と下枠とで形成される区画内にパネルを嵌装し又は桟材を格子状に配設してなる手摺りに関する。
【背景技術】
【０００２】
段差のある通路や階段では通常の照明では足元の安全が十分確保されず、夜間の歩行が困難となることがあり、またベランダで夜間に洗濯物を干すような場合に、室内の照明がカーテン等で遮断されていると、ベランダが暗闇となって、物干し作業が非常にやり難くなることがある。
【発明の概要】
【発明が解決しようとする課題】
【０００３】
本発明は、上記の問題点に鑑み、段差のある通路や階段で確実に足元の安全を確保でき、またベランダやバルコニーに照明を有効に取り入れることができる手摺りを提供することを目的としている。
【課題を解決するための手段】
【０００４】
上記課題を解決するための手段を、後述する実施形態の参照符号を付して説明すると、請求項１に係る発明は、ベランダ、廊下、階段等の通路の端部に沿って支柱１を一定間隔に立設し、これら支柱１の上端部に手摺り笠木２を架け渡すと共に、支柱１の下端部どうしを下枠３により連結し、隣り合う両支柱１，１と手摺り笠木２と下枠３とで形成される区画４内にパネル５を嵌装し又は桟材を格子状に配設してなる手摺りにおいて、手摺り笠木２を、その通路側端部２ａが支柱１より通路Ｔ側へ出っ張るように形成し、この手摺り笠木２の通路側出っ張り端部２ａ下面側に多数のＬＥＤ６を笠木長手方向に一定間隔に配設してなるＬＥＤ照明装置７を設け、このＬＥＤ照明装置７によって通路Ｔ部分を照らすようにし、ＬＥＤ照明装置７は、手摺り笠木２の通路側出っ張り端部２ａの下面に笠木長手方向に沿って凹設されたケース取付用凹溝１０に嵌合固定される長尺状の本体ケース１２と、本体ケース１２内にその長手方向に一定間隔に保持されて、夫々複数のＬＥＤ６を定位置に実装した複数のＬＥＤ基板１４と、これらＬＥＤ基板１４を電気的に接続する接続配線１５と、この接続配線１５の両端部に設けられたジョイントコネクター２６，２７とを備えたＬＥＤユニット１６からなり、本体ケース１２は、両側壁部１７，１８と、両側壁部１７，１８の下端部側どうしをつなぐ連結壁部１９と、連結壁部１９の下面の両側端部にＬＥＤ基板１４の両側端部が嵌合するように形成された両側一対の嵌合凹部２０，２１と、両側壁部２０，２１の夫々上側端部に夫々外向きに突設されていて、ケース取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持して、ＬＥＤ基板１４の下面に取り付けたＬＥＤ６を両側一対の嵌合凹部２０，２１の間から発光できるようにしたことを特徴とする。
【０００７】
請求項２は、請求項１に記載の手摺りにおいて、手摺り笠木２は、その横断面形状において、通路側出っ張り端部２ａが比較的細い流線型に形成され、その反対側の端部２ｂが比較的太い流線型に形成されていることを特徴とする。
【発明の効果】
【０００８】
上記解決手段による発明の効果を、後述する実施形態の参照符号を付して説明すると、請求項１に係る発明の手摺りによれば、手摺り笠木２を、その通路側端部２ａが支柱１よりベランダ通路Ｔ側へ出っ張るように形成し、この手摺り笠木２の通路側出っ張り端部２ａ下面側に多数のＬＥＤ６を笠木長手方向に一定間隔に配設してなるＬＥＤ照明装置７を設け、このＬＥＤ照明装置７によって通路Ｔ部分を照らすようにしたから、ベランダや階段等の通路を手摺りの全長に亘って一様に照らすことができると共に、段差のある廊下や階段では歩行者の足元を的確に照らすことができて、歩行者の安全を十分に確保できる。また、例えばベランダで夜間に洗濯物を干すような場合に、ＬＥＤ６を発光させることによって、室内の照明がカーテン等で遮断されていても、ベランダが明るくなって、物干しが非常にやり易くなる。また、ＬＥＤ６が手摺り笠木２の通路側出っ張り端部２ａ下面側に設けてあるため、多層階集合住宅の場合には、ＬＥＤ６からの光が、手摺りを越えて下階のベランダに漏れ出るような不都合がない。
【０００９】
又、本発明の手摺りによれば、ＬＥＤ照明装置７が、手摺り笠木２の通路側出っ張り端部２ａの下面に笠木長手方向に沿って凹設されたケース取付用凹溝１０に嵌合固定される長尺状本体ケース１２と、本体ケース１２内にその長手方向に一定間隔に保持され、夫々複数のＬＥＤ６を定位置に実装した複数のＬＥＤ基板１４と、これらＬＥＤ基板１４を電気的に接続する接続配線１５と、接続配線１５の両端部に設けられたジョイントコネクター２６，２７とを備えたＬＥＤユニット１６からなるため、このＬＥＤユニット１６を工場生産し、これを設置現場において、手摺りに取り付けた後、手摺り笠木２の通路側出っ張り端部２ａに設けてあるケース取付用凹溝１０にワンタッチで嵌め込みでき、また手摺り笠木２の長さに応じて、ＬＥＤユニット１６を複数個使用すると共に、本体ケース１２を適当長さにカットして、夫々両端部にあるジョイントコネクター２６，２７を接続すればよいから、簡単な施工によってＬＥＤユニット１６を一列状に連続的に設置することができる。
【００１０】
更に又、本発明によれば、ＬＥＤユニット１６の本体ケース１２は、両側壁部１７，１８と、両側壁部１７，１８の下端部側どうしをつなぐ連結壁部１９と、連結壁部１９の下面の両側端部にＬＥＤ基板１４の両側端部が嵌合するように形成された両側一対の嵌合凹部２０，２１と、両側壁部２０，２１の夫々上側端部に夫々外向きに突設されていて、ケース取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合して保持し、ＬＥＤ基板１４の下面に取り付けたＬＥＤ６を両側一対の嵌合凹部２０，２１の間から発光できるようにしたから、本体ケース１２の両側壁部１７，１８を手摺り笠木２側のケース取付用凹溝１０に押し込むことにより、係嵌突起２４，２５が壁面１０ａ，１０ｂの奥部に設けられた係嵌凹部２２，２３に係嵌して、本体ケース１２を、凹溝１０に対し抜け出し不能に簡単に固定することができる。
【００１１】
請求項２に係る発明によれば、手摺り笠木２は、その横断面形状において、通路側出っ張り端部２ａが比較的細い流線型に形成され、その反対側の端部２ｂが比較的太い流線型に形成されているから、通路内側からの体裁及び通路外からの体裁・見栄えが良好であると共に、通路内側から手摺り笠木２に触れるときの感触が良好となる。
【図面の簡単な説明】
【００１２】
【図１】(a) は本発明に係る手摺りを室外側から見た正面図、(b) は(a) のＡ−Ａ線拡大断面図である。
【図２】図１の(a) のＢ−Ｂ線拡大断面図である。
【図３】(a) は図２の矢印Ｃで示す部分の拡大図、(b) は(a) に示すＬＥＤユニットをケース取付用凹溝に嵌め込もうとしている状態を示す拡大斜視図である。
【図４】ＬＥＤユニットからなるＬＥＤ照明装置を示す拡大斜視図である。
【図５】(a) は他の形態のＬＥＤ照明装置を備えた手摺りを示す図２と同様な断面図、(b) は(a) に示すＬＥＤ照明装置であるＬＥＤユニットをケース取付用凹溝から取り外した状態の断面図である。
【発明を実施するための形態】
【００１３】
以下に本発明の好適な一実施形態を図面に基づいて説明すると、図１及び図２にはベランダの室外側端部に設置された本発明に係る手摺りを示す。この手摺りは、ベランダ通路Ｔの室外側端部に設けられた堰壁Ｓ上に沿って支柱１を一定間隔に立設し、これら支柱１・・・の上端部に手摺り笠木２を架け渡すと共に、隣り合う支柱１，１の下端部どうしを下枠３によって連結し、隣り合う両支柱１，１と手摺り笠木２と下枠３とで形成される区画４内にガラス板（パネル）５を嵌装してなるものである。
【００１４】
手摺り笠木２は、図２に示すように、その通路Ｔ側端部２ａが支柱１の通路側側面１ａよりベランダ通路Ｔ側へ出っ張るように形成されると共に、通路Ｔと反対側の端部である屋外側端部２ｂが支柱１の屋外側側面１ｂよりも屋外側へ若干出っ張るように形成され、通路Ｔ側の出っ張り端部２ａの下面側には、多数のＬＥＤ６を笠木長手方向に一定間隔に配設してなるＬＥＤ照明装置７が設けられ、このＬＥＤ照明装置７によってベランダ通路Ｔを照らすことができるようになっている。手摺り笠木２の屋外側端部２ｂと下枠３と隣り合う両支柱１，１とで形成される区画４内に前記ガラス板５が嵌装されている。
【００１５】
また手摺り笠木２は、図２に示すように、支柱１の上端面に載設固定されるアルミ押出形材製の基枠８と、この基枠８の上面側を覆うように流線型状に形成されてい、基枠８に対し取外し可能に係嵌固定されるアルミ押出形材製の笠木本体９とからなるもので、手摺り笠木２全体の横断面形状において、通路側出っ張り端部２ａが比較的細い流線型に形成され、その反対側の屋外側端部２ｂが比較的太い流線型に形成されている。
【００１６】
また図２に示すように、手摺り笠木２を形成する基枠８の下面には、手摺り笠木２の通路側出っ張り端部２ａに、ケース取付用凹溝１０が笠木長手方向に沿ってその全長にわたり凹設され、それと反対側の屋外側端部２ｂにはガラス板嵌合部１１が凹設されている。基枠８の両側端部に被係嵌部８ａ，８ｂが形成され、笠木本体９の両側端には、基枠８の被係嵌部８ａ，８ｂに係嵌可能な係嵌部８ａ，８ｂが形成され、しかして笠木本体９は、その係嵌部８ａ，８ｂを基枠８の被係嵌部８ａ，８ｂに係嵌させることにより、基枠８に対し取外し可能に係嵌固定される。
【００１７】
前記ＬＥＤ照明装置７は、図３の(a) ，(b) 及び図４に示すように、手摺り笠木２の通路側出っ張り端部２ａの下面に笠木長手方向に沿って凹設されたケース取付用凹溝１０に嵌合固定される長尺状の本体ケース１２と、この本体ケース１２内にその長手方向に一定間隔に保持されて、夫々複数のＬＥＤ６を定位置に実装した複数のＬＥＤ基板１４と、これらＬＥＤ基板１４を電気的に接続する接続配線１５と、この接続配線１５の両端部に設けられたジョイントコネクター２６，２７とを備えたＬＥＤユニット１６からなるもので、図示しない電源用電線から前記接続配線１５によって給電され、図示しない制御装置によって点灯／消灯制御されるようになっている。
【００１８】
前記本体ケース１２は、図３の(a) ，(b) 及び図４に示すように、両側壁部１７，１８と、両側壁部１７，１８の下端部側どうしをつなぐ連結壁部１９と、この連結壁部１９の下面側の両側端部にＬＥＤ基板１４の両側端部が嵌合するように対向形成された両側一対の嵌合凹部２０，２１と、両側壁部１７，１８の夫々上端部に夫々外向きに突設されていて、前記ケース取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持して、このＬＥＤ基板１４の下面側に取り付けられたＬＥＤ６を、両側一対の嵌合凹部２０，２１の間から下方へ向けて発光できるようになっている。尚、両側壁部１７，１８は、図３の(b) に示すように、上端部に形成された両係嵌突起２４，２５の外法幅Ｗａがケース取付用凹溝１０の対向壁面１０ａ，１０ｂの内法幅Ｗｂよりも僅かに大きくなるように形成されている。
【００１９】
前記ＬＥＤ照明装置７をＬＥＤユニット１６として組み立てるには、各ＬＥＤ基板１４の表面側所定位置に、例えば２個のＬＥＤ６（図４参照）と１個の抵抗（図示省略）とを配置して、この基板１４の裏面側にプリントされている配線（図示省略）と接続する。そして、本体ケース１２を図４に示すように逆様に引っ繰り返した状態で、この本体ケース１２の一端側から、所要数個のＬＥＤ基板１４・・・を、連結壁部１９と両側一対の嵌合凹部２０，２１との間に挿入嵌合して、これらのＬＥＤ基板１４・・・を同図に示すように所定間隔に位置決めし、連結壁部１９の背面側に逃がした接続配線１５によってこれらのＬＥＤ基板１４・・・を電気的に接続する。また、図４に示すように、接続配線１５の両端部には夫々、ジョイントコネクターのオス端子２６とメス端子２７を取り付ける。また、ＬＥＤ基板１４を配設した本体ケース１２の連結壁部１９の下部側には、図３の(a) に少しだけ示すように、シール材３６を、ＬＥＤ基板１４が埋め尽くされると共にＬＥＤ６の表面のみが下向きに露出する状態となるように装填して、防水処理を施す。このシール材３６としては、液状又は半液状の硬化性シリコン樹脂等を使用する。この硬化性シリコン樹脂を使用する場合、シール材３６は、ＬＥＤ基板１４を連結壁部１９の下部側に固定するための保持部材としても利用可能である。
【００２０】
上記のようにして組み立てられるＬＥＤユニット１６は、例えば図１の(a) に示す手摺りの隣り合う支柱１，１間のピッチに相当する長さに形成されていて、所要本数のＬＥＤ照明装置７を、手摺り笠木２の通路側出っ張り端部２ａのケース取付用凹溝１０に対して、この凹溝１０の一端部側から順次、図３の(b) に示すような状態で嵌め込んでいき、手摺り笠木２の全長に亘ってそのケース取付用凹溝１０内で本体ケース１２の端面どうしが当接し合う状態に取り付ける。この取付けの際に、各ＬＥＤユニット１６は、図４に示すようなジョイントコネクターのオス端子２６とメス端子２７とを、本体ケース１２内で互いに他のＬＥＤ照明装置７のジョイントコネクターのオス端子２６とメス端子２７とに凹凸嵌合することよって相互に電気的に接続し、手摺り笠木２の全長に形成されているケース取付用凹溝１０に亘って一連のＬＥＤユニット１６・・・を間断なく連続的に取り付ける。そして、この一連のＬＥＤユニット１６・・・の一端側のジョイントコネクター２６，２７を電源側配線のメス端子とオス端子とに接続して給電可能な状態とする。尚、この一連のＬＥＤ照明装置７の他端側では、ジョイントコネクターのオス端子２６とメス端子２７と互いに係合させればよい。
【００２１】
ＬＥＤユニット１６の本体ケース１２を手摺り笠木２のケース取付用凹溝１０に嵌合するにあたって、両側壁部１７，１８上端部の両係嵌突起２４，２５は図３の(b) に示すようにその外法幅Ｗａがケース取付用凹溝１０の対向壁面１０ａ，１０ｂの内法幅Ｗｂより僅かに大きいため、両側壁部１７，１８の上端部側を凹溝１０の対向壁面１０ａ，１０ｂに対し若干傾斜させた状態からケース取付用凹溝１０に突入させて、係嵌突起２４，２５を凹溝１０の壁面１０ａ，１０ｂに添わせながら押し込むことにより、係嵌突起２４，２５が壁面１０ａ，１０ｂの奥部に設けられた係嵌凹部２２，２３に係嵌し、本体ケース１２は、凹溝１０に対し抜け出し不能に固定される。
【００２２】
また図３に示すように、本体ケース１２の連結壁部１９は両側壁部１７，１８に対して斜交するように形成されていることから、この連結壁部１９の下面に沿って取り付けられるＬＥＤ基板１４は水平面に対し所定角度（例えば水平面に対し室内側上り傾斜３０°）傾斜し、従ってＬＥＤ基板１４の下面に配設されるＬＥＤ６も水平面に対し所定角度傾斜することになるため、手摺りの使用においてＬＥＤユニット１６のＬＥＤ基板１４のＬＥＤ６から発光される光は、図２に示すように、手摺り笠木２の通路出っ張り端部２ａから室内側へ例えば３０°の傾斜角度でベランダ通路を照らすようになる。後記のように本体ケース１２の連結壁部１９が水平になるように取り付ければ、ＬＥＤ６からの光は、ほぼ垂直下向きでベランダ通路Ｔの室外寄り部分を照らすことになる。
【００２３】
以上、図１〜図４によって説明した実施形態の手摺りによれば、手摺り笠木２を、その通路側端部２ａが支柱１よりベランダ通路Ｔ側へ出っ張るように形成し、この手摺り笠木２の通路側出っ張り端部２ａ下面側に多数のＬＥＤ６を笠木長手方向に一定間隔に配設してなるＬＥＤ照明装置７を設け、このＬＥＤ照明装置７によって通路Ｔ部分を照らすようにしたから、例えばベランダで夜間に洗濯物を干すような場合に、ＬＥＤ６を発光させることにより、室内の照明がカーテン等で遮断されていても、ベランダが明るくなって物干しが非常にやり易くなる。また、ＬＥＤ６が手摺り笠木２の通路側出っ張り端部２ａ下面側に設けてあるため、多層階集合住宅の場合には、ＬＥＤ６からの光が、手摺りを越えて下階のベランダに漏れ出るような不都合がない。また手摺り笠木２の通路側出っ張り端部２ａ下面側に設けたＬＥＤ照明装置７の使用によって、ベランダ以外の段差のある通路や階段では、歩行者の足元を的確に照らすことができるため、歩行者の安全を十分に確保できる。
【００２４】
またＬＥＤ照明装置７は、手摺り笠木２の通路側出っ張り端部２ａの下面に笠木長手方向に沿って凹設されたケース取付用凹溝１０に嵌合固定される長尺状の本体ケース１２と、本体ケース１２内にその長手方向に一定間隔に保持されて、夫々複数のＬＥＤ６を定位置に配設した複数のＬＥＤ基板１４と、これらＬＥＤ基板１４を電気的に接続する接続配線１５と、この接続配線１５の両端部に設けられたジョイントコネクター２６，２７とを備えたＬＥＤユニット１６からなるため、ＬＥＤ照明装置７の設置にあたっては、ＬＥＤユニット１６を工場生産し、このＬＥＤユニット１６を設置現場において、手摺りの取付け後に、手摺り笠木２の通路側出っ張り端部２ａに設けてあるケース取付用凹溝１０にワンタッチで嵌合固定でき、従って作業性を損なうことなく、スムーズに取り付けることができる。また、ＬＥＤユニット１６は、手摺り笠木２の長さに応じて、所要本数使用し、夫々の両端部のあるジョイントコネクター２６，２７を接続して、手摺り笠木２のケース取付用凹溝１０に嵌合することにより、どのように長い手摺りに対しても、簡単に設置することができる。
【００２５】
そして、上記ＬＥＤユニット１６の本体ケース１２は、両側壁部１７，１８と、両側壁部１７，１８の下端部側どうしをつなぐ連結壁部１９と、連結壁部１９の下面の両側端部にＬＥＤ基板１４の両側端部が嵌合するように形成された両側一対の嵌合凹部２０，２１と、両側壁部２０，２１の夫々上側端部に夫々外向きに突設されていて、ケース取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合して保持し、ＬＥＤ基板１４の下面に取り付けたＬＥＤ６を両側一対の嵌合凹部２０，２１の間から発光できるようにしたから、本体ケース１２の両側壁部１７，１８を手摺り笠木２側のケース取付用凹溝１０に押し込むことにより、係嵌突起２４，２５が壁面１０ａ，１０ｂの奥部に設けられた係嵌凹部２２，２３に係嵌して、本体ケース１２を、凹溝１０に対し抜け出し不能に簡単に固定することができる。
【００２６】
上述した実施形態の手摺りにおいて隣り合う両支柱１，１と手摺り笠木２と下枠３とで形成される区画４内でのガラス板５の取付構造について説明すると、左右各支柱１は、図１の(b) 及び図２に示すように、角筒状の支柱本体２８と、この支柱本体２８の室外側面に突設された目地枠２９とからなり、下枠３は、左右に対向する支柱１，１の目地枠２９，２９間に介装されていて、下枠３の端部が支柱本体２８にビス３０で固定され、しかして、ガラス板５は、その上端部が手摺り笠木２の基枠８のガラス嵌合部１１に嵌合され、左右各端部が目地枠２９のガラス嵌合部３２に嵌合された状態で、区画４内に嵌装されている。尚、図１の(b) 及び図２において、３３は、支柱１の目地枠２９を挟んで対向する両側の区画４，４の両下枠３，３の対向端面間の隙間３４を覆う化粧カバーで、ビス３５によって両下枠３，３に固定されている。
【００２７】
図５の(a) は他の形態のＬＥＤ照明装置７を備えた手摺りを示す図２と同様な断面図、(b) は(a) に示すＬＥＤ照明装置７であるＬＥＤユニット１６を手摺り笠木２側のケース取付用凹溝１０から取り外した状態の断面図である。ここに示すＬＥＤ照明装置７であるＬＥＤユニット１６は、図２〜図４によって説明した前記ＬＥＤユニット１６とほとんど同様であって、図２〜図４に示すＬＥＤユニット１６では本体ケース１２の連結壁部１９がその両側壁部１７，１８と斜交するように形成されているのに対し、この図５の(a) に示すＬＥＤユニット１６では本体ケース１２の連結壁部１９が両側壁部１７，１８と直交するように形成されている点が異なっている。
【００２８】
即ち、図５の(a) に示すＬＥＤユニット１６の本体ケース１２は、両側壁部１７，１８と、両側壁部１７，１８と直交するように形成され、両側壁部１７，１８の下端部側どうしをつなぐ連結壁部１９と、この連結壁部１９の下面の両側端部にＬＥＤ基板１４の両側端部が嵌合するように対向形成された両側一対の嵌合凹部２０，２１と、両側壁部１７，１８の夫々上端部に夫々外向きに突設されていて、前記ケース取付用凹溝１０の対向壁面１０ａ，１０ｂの夫々奥部に設けられた係嵌凹部２２，２３に係嵌する両側一対の係嵌突起２４，２５とからなるもので、連結壁部１９の下面と両側一対の嵌合凹部２０，２１との間にＬＥＤ基板１４を嵌合保持し、このＬＥＤ基板１４の下面側に取り付けられたＬＥＤ６を、両側一対の嵌合凹部２０，２１の間から下方へ向けて発光できるようにしている。
【００２９】
従って、図５の(a) に示すようにＬＥＤユニット１６の本体ケース１２を手摺り笠木２の通路側出っ張り端部２ａに設けたケース取付用凹溝１０に嵌合固定した状態において、本体ケース１２の連結壁部１９が両側壁部１７，１８と直交して、水平に位置するため、この連結壁部１９の下面に沿って取り付けられるＬＥＤ基板１４も水平に位置し、このＬＥＤ基板１４の下面に配設されるＬＥＤ６も水平に位置することになり、従ってＬＥＤ基板１４のＬＥＤ６から発光される光は、図示のようにほとんど垂直下方に投射され、ベランダ通路Ｔの室外寄り部分を照らすことになる。この場合も、ＬＥＤ６が手摺り笠木２の通路側出っ張り端部２ａに設けてあるため、多層階集合住宅の場合でも、ＬＥＤ６からの光が、手摺りを通って下階のベランダに漏れ出るような不都合がない。
【００３０】
以上説明した実施形態の手摺りは、隣り合う両支柱１，１と手摺り笠木２と下枠３とで形成される区画４内にガラス板（パネル）５を嵌装したものであるが、本発明に係る手摺りとしては、各区画４内に縦桟又は横桟等の桟材を格子状に配設したものでもよい。
【符号の説明】
【００３１】
１            支柱
２            手摺り笠木
３            下枠
４            区画
５            ガラス板（パネル）
６            ＬＥＤ
７            ＬＥＤ照明装置
８            基枠
９            笠木本体
１０          ケース取付用凹溝
１２          本体ケース
１４          ＬＥＤ基板
【図１】
0005552444.tif 000002
【図２】
0005552444.tif 000003
【図３】
0005552444.tif 000004
【図４】
0005552444.tif 000005
【図５】
0005552444.tif 000006